(57)【要約】  軸挿通孔（１６ａ）が形成されたベース（１６）と、前記軸挿通孔を挿通し前記ベースに対して軸方向に相対移動可能かつ軸を中心として回転可能に構成され、一方の端部でワーク（Ｗ）を保持するワーク保持回転軸部（２０）と、前記ベースが閉鎖可能な開口部（３５）が形成されており、前記ベースが前記開口部の周縁部（３６）に当接されることにより前記ワークを収納するワーク収納室（Ｒ）を形成するカバー部材（３０）と、を有する光重合装置において、前記ベースを前記周縁部に当接させて前記ワーク収納室を形成し、前記ワークを前記ワーク収納室における第１の領域（Ｒ１）において回転させた後、前記ワーク保持回転軸を前記ベースに対して相対移動させて前記第１の領域より前記光照射装置に近い第２の領域（Ｒ２）に前記ワークを配置し、前記第２の領域に位置する前記ワークに対して前記光照射装置が光を照射するように制御する。
2015019963.tif 000002
【特許請求の範囲】
【請求項１】
軸挿通孔が形成されたベースと、
前記軸挿通孔を挿通し前記ベースに対して軸方向に相対移動可能かつ軸を中心として回転可能に構成され、一方の端部でワークを保持するワーク保持回転軸部と、
前記ベースが閉鎖可能な開口部が形成されており、前記ベースが前記開口部の周縁部に当接されることにより前記ワークを収納するワーク収納室を形成するカバー部材と、
前記ワーク収納室内に配置された前記ワークに対して光を照射する光照射装置と、
前記ベースと前記カバー部材の相対移動と、前記ベースと前記ワーク保持回転軸部の軸方向の相対移動と、前記ワーク保持回転軸部の回転と、前記光照射装置の光の照射と、を制御する制御部と、を有する光重合装置であって、
前記制御部は、前記ベースを前記周縁部に当接させて前記ワーク収納室を形成し、前記ワークを前記ワーク収納室における第１の領域において回転させた後、前記ワーク保持回転軸を前記ベースに対して相対移動させて前記第１の領域より前記光照射装置に近い第２の領域に前記ワークを配置し、前記第２の領域に位置する前記ワークに対して前記光照射装置が光を照射するように制御することを特徴とする光重合装置。
【請求項２】
前記制御部は、前記第２の領域に配置された前記ワークが、前記第１の領域における回転速度である第１の回転速度より遅い第２の回転速度で回転するように、制御することを特徴とする請求項１に記載の光重合装置。
【請求項３】
前記ワーク収納室に不活性ガスを充填する不活性ガス供給手段を有し、
前記制御部は、前記ワーク収納室を形成した後、前記光照射装置により前記ワークに光を照射させ始めるまでの間に、前記ワーク収納室に不活性ガスを充填するように制御することを特徴とする請求項１または請求項２に記載の光重合装置。
【請求項４】
ベースの軸挿通孔を挿通し前記ベースに対して軸方向に相対移動可能かつ軸を中心として回転可能に構成されるワーク保持回転軸部の一方の端部に、フォトクロミック化合物を含む光重合性のコーティング剤を塗布された前記ワークを保持させる工程と、
カバー部材の開口部の周縁部に前記ベースを当接させて前記開口部を前記ベースで閉鎖し、前記ワークを収納するワーク収納室を形成する工程と、
前記ワークを前記ワーク収納室における第１の領域において回転させる工程と、
前記ワーク保持回転軸部を前記ベースに対して相対移動させることにより、前記第１の領域に比べて前記ワークに光を照射する光照射装置に近い第２の領域に、前記ワークを配置させる工程と、
前記第２の領域に位置する前記ワークに対して前記光照射装置が光を照射してコーティング剤を硬化する工程と、
を有することを特徴とするフォトクロミックコート層を有するレンズの製造方法。
【発明の詳細な説明】
【技術分野】
【０００１】
本発明は、光重合装置及びフォトクロミックコート層を有するレンズの製造方法に関する。
【背景技術】
【０００２】
フォトクロミックコート層を有するレンズは、光の照射によって色調及び濃度が変化する性質を有し、高機能の眼鏡用又はサングラス用レンズとして利用されている。たとえば、フォトクロミック層を有するレンズを用いることにより、太陽光のような紫外線を含む光が照射される屋外等では着色してサングラスとして機能し、太陽光が照射されない屋内等では退色して通常の眼鏡として機能する眼鏡を提供できる。【０００３】
フォトクロミック層を有するレンズの製造方法としては、光重合性のフォトクロミックコーティング剤を用いて、プラスチック製等のレンズ基材に対してフォトクロミックコート層を形成する方法（以下、コーティング法という）が知られている。コーティング法を実施する光重合装置では、例えば、フォトクロミック性を有するコーティング剤が予め滴下されたワーク（プラスチックレンズ）を、所定の速度で回転させることによりワーク全体にコーティング剤を延展させ、さらにワークを高速回転させることで余分なコーティング剤を振り落として所望の膜厚に調整し、その後、光照射装置により光を照射することにより、ワーク表面にフォトクロミックコート層を形成する。また、ワーク表面から振り落とされた余分なコーティング剤が装置内部で硬化する問題を防止するために、コーティング剤を振り落とす工程と、光照射装置によってワーク表面のコーティング剤を硬化させる工程とを、別々の部屋で実施する技術が提案されている。
【先行技術文献】
【特許文献】
【０００４】
【特許文献１】特開２００５−２９６７５２号公報
【発明の概要】
【発明が解決しようとする課題】
【０００５】
しかし、従来の光重合装置では、コーティング剤を振り落とす工程において部屋の内部に露出しているベースの一部と、カバー部材の一部とを接合させることによりコーティング剤を硬化させる部屋を形成するため、接合部分（当接部分）に付着したコーティング剤が部屋のシール性を劣化させるという問題を有している。つまり、コーティング剤を振り落とした際、コーティング剤を硬化させる部屋を形成するベースとカバー部材の接合部分（当接部分）にコーティング剤が付着する可能性があり、該接合部分にコーティング剤が付着するとシール性を低下させるという問題を有していた。
また、光照射装置による光の照射時に、ベースと光照射装置との距離が近いために、接合部分等に誤って付着したコーティング剤が硬化して、装置内部を汚す問題を有している。【０００６】
本発明は、このような実状に鑑みてなされ、その目的は、ワークを収納するワーク収納室の密閉性が繰り返し動作により劣化する問題を防止できる光重合装置及びフォトクロミックコート層を有するレンズの製造方法を提供することである。
【課題を解決するための手段】
【０００７】
上記目的を達成するために、本発明に係る光重合装置は、
軸挿通孔が形成されたベースと、
前記軸挿通孔を挿通し前記ベースに対して軸方向に相対移動可能かつ軸を中心として回転可能に構成され、一方の端部でワークを保持するワーク保持回転軸部と、
前記ベースが閉鎖可能な開口部が形成されており、前記ベースが前記開口部の周縁部に当接されることにより前記ワークを収納するワーク収納室を形成するカバー部材と、
前記ワーク収納室内に配置された前記ワークに対して光を照射する光照射装置と、
前記ベースと前記カバー部材の相対移動と、前記ベースと前記ワーク保持回転軸部の軸方向の相対移動と、前記ワーク保持回転軸部の回転と、前記光照射装置の光の照射と、を制御する制御部と、を有する光重合装置であって、
前記制御部は、前記ベースを前記周縁部に当接させて前記ワーク収納室を形成し、前記ワークを前記ワーク収納室における第１の領域において回転させた後、前記ワーク保持回転軸を前記ベースに対して相対移動させて前記第１の領域より前記光照射装置に近い第２の領域に前記ワークを配置し、前記第２の領域に位置する前記ワークに対して前記光照射装置が光を照射するように制御することを特徴とする。【０００８】
本発明に係る光重合装置は、ベースに対してワーク保持回転軸部が軸方向に移動可能であり、ワーク保持回転軸部をベースに対して相対移動させてワークを光照射装置に近づけて光の照射を行う。したがって、ベースとカバー部材との当接部分にコーティング剤が付着することを防止し、ワーク収納室の密閉性が繰り返し動作により劣化する問題を防止できる。また、ベースと光照射装置との距離を保った状態で、ワークのみを光照射装置に近づけて光の照射を行うため、本来はコーティング剤が付着して欲しくないベース等にコーティング剤が付着しても、そのコーティング剤が硬化して装置内部を重度に汚す問題を抑制できる。【０００９】
また、例えば、前記制御部は、前記第２の領域に配置された前記ワークが、前記第１の領域における回転速度である第１の回転速度より遅い第２の回転速度で回転するように制御しても良い。【００１０】
ワークが第２の領域に移動してコーティング剤の硬化が行われる時にも、ワークの回転を完全に停止させるのではなく、遅い速度でワークを回転させながらコーティング剤の硬化を行うことにより、形成されるフォトクロミックコート層の均一性を高めることができる。【００１１】
また、例えば、前記ワーク収納室に不活性ガスを充填する不活性ガス供給手段を有しても良く、
前記制御部は、前記ワーク収納室を形成した後、前記光照射装置により前記ワークに光を照射させ始めるまでの間に、前記ワーク収納室に不活性ガスを充填するように制御しても良い。【００１２】
ワーク収納室への不活性ガスの充填を、余分なコーティング剤を振り落とす制御やワーク保持回転軸部をベースに対して相対移動させる制御と並行して行うことにより、製造に要する時間を短縮し、生産効率を向上させることができる。【００１３】
本発明に係るフォトクロミックコート層を有するレンズの製造方法は、
ベースの軸挿通孔を挿通し前記ベースに対して軸方向に相対移動可能かつ軸を中心として回転可能に構成されるワーク保持回転軸部の一方の端部に、フォトクロミック化合物を含む光重合性のコーティング剤を塗布された前記ワークを保持させる工程と、
カバー部材の開口部の周縁部に前記ベースを当接させて前記開口部を前記ベースで閉鎖し、前記ワークを収納するワーク収納室を形成する工程と、
前記ワークを前記ワーク収納室における第１の領域において回転させる工程と、
前記ワーク保持回転軸部を前記ベースに対して相対移動させることにより、前記第１の領域に比べて前記ワークに光を照射する光照射装置に近い第２の領域に、前記ワークを配置させる工程と、
前記第２の領域に位置する前記ワークに対して前記光照射装置が光を照射することにより、コーティング剤を硬化させる工程と、を有する。【００１４】
上述した光重合装置と同様に、本発明に係るフォトクロミックコート層を有するレンズの製造方法によれば、ワーク収納室の密閉性が繰り返し動作により劣化する問題や、ベース表面等でコーティング剤が硬化する現象を防止し、装置のメンテナンスに要する時間を短縮することにより、効率的な生産を行うことができる。
【図面の簡単な説明】
【００１５】
【図１】図１は、本発明の一実施形態に係る光重合装置の概略断面図である。
【図２】図２は、図１に示す光重合装置の動作説明図である。
【発明を実施するための形態】
【００１６】
以下、本発明の実施形態に係る光重合装置及びフォトクロミックコート層を有するレンズの製造方法について、図面を参照しながら説明する。
【００１７】
第１実施形態
図１は、本発明の一実施形態に係る光重合装置１０の概略断面図である。光重合装置１０は、軸挿通孔１６ａが形成されたベース１６と、軸挿通孔１６ａを挿通するワーク保持回転軸部２０と、ベース１６と共にワーク収納室Ｒを形成するカバー部材３０と、ワークＷに対して光を照射する光照射装置４０と、ワーク収納室Ｒに不活性ガスを供給する不活性ガス供給手段５０と、各部の動作を制御する制御部６０とを有する。
【００１８】
ベース１６は、中央に軸挿通孔１６ａが形成された平板状の形状を有しており、カバー部材３０の下方に位置している。ベース１６は、不図示の駆動装置に接続されており、カバー部材３０に対して上下方向に相対移動可能である。ベース１６は、ベース上面１６ｂの端部にシール部材１８を備えている。シール部材１８は、ベース１６がカバー部材３０の下方開口部３５を塞いでワーク収納室Ｒを形成する際に、下方開口部３５の外側周縁部３６に接合してワーク収納室Ｒをシールする。
【００１９】
ワーク保持回転軸部２０は、軸本体部２３と、吸着パッド２４とを有し、ベース１６に対して軸方向（上下方向）に相対移動可能かつ軸を中心として回転可能に構成されている。軸本体部２３は、ベース１６の軸挿通孔１６ａを挿通可能な棒状部２３ａと、棒状部２３ａの上端部に接続しており棒状部２３ａから軸の外径方向に突出する鍔状部２３ｂとを有する。棒状部２３ａの下端部には、軸を中心としてワーク保持回転軸部２０を回転させるための回動モータ等の駆動機器（不図示）と、ワーク保持回転軸部２０をベース１６に対して軸方向に相対移動させるためのエアシリンダー等の駆動機器（不図示）が接続されている。ベース１６における軸挿通孔１６ａの内周壁には、軸挿通孔１６ａの内周壁と棒状部２３ａの外周面とをシールするＯリング等のシール部材１９が配置されている。
【００２０】
吸着パッド２４は、軸本体部２３の鍔状部２３ｂに取り付けられている。吸着パッド２４には複数の細孔が形成されており、吸着パッド２４の細孔には、棒状部２３ａの内部を通る貫通孔２３ｃを介して、ワーク保持回転軸部２０の下端部に接続される図示しない吸引手段で発生された吸引力が伝達される。ワーク保持回転軸部２０は、吸着パッド２４の上面にワークＷを吸着することにより、上方端部でワークＷを保持する。
【００２１】
カバー部材３０は、上下方向に開口部を有するカバー枠部３２と、カバー枠部３２の上方開口部を塞ぐ透過板３４とを有する。カバー部材３０の下方にはワークＷの外径より大きくかつベース１６の外径より小さい開口径を有する下方開口部３５が形成されており、下方開口部３５は、不図示の駆動機器によって上昇移動したベース１６によって閉鎖可能である（図２（Ａ）参照）。すなわち、ベース上面１６ｂの外周周辺領域に備えられたシール部材１８が、カバー枠部３２における下方開口部３５の外側周縁部３６に接合することにより、カバー部材３０とベース１６とによって囲まれたワーク収納室Ｒが形成される。ワーク保持回転軸部２０の上方端部に保持されたワークＷは、ワーク収納室Ｒの内部に収納される。カバー枠部３２における下方開口部３５の内側には、下方開口部３５をリング状に取り囲むように形成された開口周縁底部３７が備えられ、開口周縁底部３７は、ワークＷの表面から振り落とされたコーティング剤を回収するための受け部として機能する。開口周縁底部３７には、回収されたコーティング剤をワーク収納室Ｒから排出するためのドレーン３７ａが形成されている。
【００２２】
ワーク収納室Ｒは、下方に位置する第１の領域Ｒ１と、上方に位置しており光照射装置４０までの距離が第１の領域Ｒ１より近い第２の領域Ｒ２とを有する。図２（Ａ）に示すように、ベース１６がワーク保持回転軸部２０と共に上昇してワーク収納室Ｒが形成された時点では、ワークＷは第１の領域Ｒ１に位置する。その後、制御部６０がワーク保持回転軸部２０の下端部に接続された駆動機器を駆動し、ワーク保持回転軸部２０及びワークＷをベース１６に対して上昇させることにより、ワークＷは第１の領域Ｒ１から第２の領域Ｒ２へ移動する（図２（Ｂ）参照）。
【００２３】
第１の領域Ｒ１と第２の領域Ｒ２との境界に相当する上下方向の位置には、カバー枠部３２に段差部３８が設けられており、第２の領域Ｒ２の水平方向の断面積は、第１の領域Ｒ１の水平方向の断面積より狭くなっている。光照射装置４０からの光を効率的にワークＷに照射するために、第２の領域Ｒ２におけるカバー枠部３２の内周面には、光を反射する鏡面が形成されている。
【００２４】
図１に示すように、光照射装置４０は、ハウジング４０ａに収納された発光部を有し、カバー部材３０の上方であってワーク収納室Ｒの外部に配置される。光照射装置４０の発光部で発生した光は、カバー部材３０の透過板３４を透過してワーク収納室Ｒの内部に入射し、ワークＷに照射される。
なお、光照射装置４０における光照射手段は、公知の照射手段を使用することができる。例えば、公知の紫外線照射手段を使用することができ、発光ダイオード（ＬＥＤ）を使用することもできる。
【００２５】
不活性ガス供給手段は、カバー枠部３２の上方に形成されており不図示のガスボンベに接続されるガス導入口５２と、カバー枠部３２の下方とベース１６に形成された排出口５４、５５によって構成される。不活性ガス供給手段におけるガス導入口５２及び排出口５４、５５の開閉は、制御部６０により制御される。
【００２６】
制御部６０は、ベース１６とカバー部材３０の相対移動と、ベース１６と軸部の軸方向の相対移動と、ワーク保持回転軸部の回転とを制御する。より具体的には、制御部６０は、ベース１６を上下方向に移動させる駆動機器と、ワーク保持回転軸部２０をベース１６に対して軸方向に移動させる駆動機器と、軸を中心としてワーク保持回転軸部２０を回転させるための駆動機器とを制御し、これらの移動および回転を制御する。また、制御部６０は、光照射装置４０及び不活性ガス供給手段５０を制御することにより、光照射装置４０による光の照射タイミングと、不活性ガス供給手段５０によるワーク収納室Ｒへの不活性ガスの充填動作を制御する。制御部６０による制御の詳細については後述する。
【００２７】
以下、本発明の一実施形態に係る光重合装置１０の動作について、図１および図２に基づいて説明する。
【００２８】
光重合装置１０を用いたフォトクロミックコート層を有するレンズの製造方法では、まず、平面又は凸状の曲面からなる主表面を有するプラスチックレンズなどのワークＷの表面に、フォトクロミック性を有するコーティング剤が、滴下等により塗布される。さらに、コーティング剤が塗布されたワークＷを、不図示の搬送手段を用いてワーク保持回転軸部２０の上方端部に載置する。この時、ベース１６及びワーク保持回転軸部２０は、図１に示すようにカバー部材３０に対して下方に離間して配置されている。また制御部６０は、ワーク保持回転軸部２０の下端部に接続される図示しない吸引手段を駆動し、これによりワークＷは、コーティング剤が塗布された表面が上方を向いた状態で、吸着パッド２４を介して伝達される吸引力により保持される。
【００２９】
次に、制御部６０は、ベース１６を駆動する不図示の駆動機器を駆動してベース１６を図２（Ａ）に示す位置まで上方へ移動させる。これにより、ベース１６のシール部材１８が、カバー部材３０の下方開口部３５の外側周縁部３６に当接し、ベース１６とカバー部材３０とでワークＷを収納するワーク収納室Ｒが形成される。このとき、ベース１６を挿通するワーク保持回転軸部２０及びこれに保持されたワークＷはベース１６と共に上方へ移動し、ベース１６がカバー部材３０に当接して停止した時点で、ワークＷは、ワーク収納室Ｒの第１の領域Ｒ１に位置する。
【００３０】
次に、制御部６０は、ワーク保持回転軸部２０を回転させる駆動機器を駆動して、ワーク収納室Ｒにおける第１の領域Ｒ１に位置するワークＷを、第１の回転速度で回転させる。これにより、ワークＷの上面に塗布されたコーティング剤が遠心力により延展されると同時に、余分なコーティング剤がワークＷの表面から振り落とされる。ワークＷの表面から振り落とされたコーティング剤は、主にカバー部材３０における開口周縁底部３７に回収され、ドレーン３７ａからワーク収納室Ｒの外部へ排出される。第１の回転速度は、コーティング剤やワークＷに応じて適宜調整されるが、例えば３００〜１５００ｒｐｍ程度とすることができる。この回転速度で回転させて余分なコーティング剤を振り落とすことにより、ワークＷ端部におけるコーティング剤の液だまりを効率よく抑制できる。制御部６０は、ワークＷを第１の回転速度で所定の時間回転させた後、ワークＷの回転速度を低下させる。
なお、コーティング剤の粘度は、特に制限されるものではないが、２３℃において５０〜５００ｍＰａ／ｓｅｃであることが好ましい。このコーティング剤は、光重合性のモノマー、およびフォトクロミック化合物を含むものである。本発明の装置、方法によれば、幅広い粘度範囲のコーティング剤を使用することができる。つまり、粘度の違い、または運転条件の違い（ワークＷの回転数の違い）等によって、ベース１６、カバー部材３０の様々な箇所にコーティング剤が付着したとしても、本発明の装置、方法によれば、ベース１６とカバー部材３０との当接部分にはコーティング剤が付着することがないため、シール性が低下することがない。
【００３１】
次に、制御部６０は、ワーク保持回転軸部２０をベース１６に対して相対移動させる駆動機器を駆動し、ベース１６を停止した状態でワーク保持回転軸部２０及びこれに保持されるワークＷを上方へ移動させる。これにより、ワークＷは、図２（Ｂ）に示すようにワーク収納室Ｒにおける第２の領域Ｒ２に配置される。また、制御部６０は、ワークＷが第１の領域Ｒ１から第２の領域Ｒ２まで移動する間に、ワークＷの回転速度が先述した第１の回転速度から、これよりも遅い第２の回転速度まで低下するように、ワーク保持回転軸部２０を回転させる駆動機器を制御する。
【００３２】
ワーク収納室Ｒが形成されてから光照射装置４０による光の照射を開始するまでの間に、制御部６０は、不活性ガス供給手段５０を制御し、ワーク収納室Ｒに不活性ガス（窒素）を充填する。制御部６０は、ガス導入口５２を開いてワーク収納室Ｒ内に不活性ガスを導入すると同時に、排出口５４、５５を開いて内部空気を排出することにより、不活性ガスの充填を実施する。不活性ガスの充填は、ワークＷを第１の回転速度で回転させる工程や、ワーク保持回転軸部２０をベース１６に対して相対移動させる工程と並行して実施されることが、製造に要する時間を短縮する観点から好ましい。なお、制御部６０は、ワーク収納室Ｒが形成される前に、カバー部材３０の内部への不活性ガスの導入を開始して、カバー部材３０の内部に対して予備的な不活性ガス置換動作を行うことも可能である。
【００３３】
次に、制御部６０は、光照射装置４０を制御して第２の領域に位置するワークＷに対して光を照射させ、ワークＷの表面に延展されたコーティング剤を硬化させる。これにより、フォトクロミックコート層を有するレンズが製造される。なお、制御部６０は、ワークＷに対して光を照射させる間、ワークＷが第２の回転速度で回転し続けるように、ワーク保持回転軸部２０を回転させる駆動機器を制御する。第２の回転速度は、コーティング剤やワークＷに応じて適宜調整されるが、例えば０〜２５０ｒｐｍであることが好ましく、より均一なコート膜を形成するためには、２０〜２００ｒｐｍとすることが好ましく、さらに、５０〜１５０ｒｐｍとすることが好ましい。
なお、ワークＷに光を照射してコーティング剤の硬化を行うのは、第２の領域にワークＷが位置している時である。ただし、第１の回転数は比較的回転数が速いため、コーティング剤が硬化しなければ、ワークＷを第１の回転数で回転させている時に光照射を開始してよい。第１の回転数でワークＷを回転してから光照射をするまでの時間は、短時間であればあるほどワークＷ端部の液だまりを抑制することができる。そのため、第１の回転数でワークＷを回転してから光照射をするまでの時間は、０〜１０秒であることが好ましい。
その中でも、安定して平滑なコーティング層（フォトクロミックコート層）を形成するためには、第１の回転数で余分なコーティング剤を振り落とした後、光照射を開始することが好ましい。そのため、第１の回転数でワークＷを回転してからワークＷを第２の領域に移動させて光照射を行うことが好ましい。第１の回転数でワークＷを回転してからワークＷを第２の領域で光照射するまでの時間は、０秒を超え１０秒以下とすることが好ましく、制御のし易さ、液だまりの抑制効果を考慮すると、０．１〜５秒とすることがより好ましい。
制御部６０は、ワークＷに対して所定時間光を照射させた後、光照射装置４０を制御して光の照射を停止させる。
【００３４】
さらに、制御部６０は、ワークＷの回転を停止させるように駆動機器を制御すると同時に、他の駆動機器を制御し、図１に示す状態までベース１６及びワーク保持回転軸部２０を移動させる。最後に、フォトクロミックコート層が形成されたワークＷが、図示しない搬送手段によりワーク保持回転軸部２０の上方端部から取り外され、以後同様の動作が繰り返される。
【００３５】
このような実施形態に係る光重合装置１０によれば、ベース１６とカバー部材３０との当接部分にコーティング剤が付着することを防止し、ワーク収納室Ｒの密閉性が繰り返し動作により劣化する問題を防止できる。また、ベース１６と光照射装置４０との距離を保った状態で、ワークＷのみを光照射装置４０に近づけて光の照射を行うため、本来はコーティング剤が付着して欲しくない部分（開口周縁底部３７以外の部分）にコーティング剤が付着した場合であっても、そのコーティング剤が硬化して装置内部を重度に汚す問題を抑制できる。また、ベース１６等に付着したコーティング剤は、仮に硬化したとしても、拭き取り等により容易に除去することが可能であり、光重合装置１０はメンテナンス性に優れている。
【００３６】
また、ベース１６に近く光照射装置４０から遠い第１の領域でワークＷを高速（第１の回転速度）で回転させて余分なコーティング剤を振り落とした後、ベース１６から遠く光照射装置４０に近い第２の領域でワークＷを低速（第２の回転速度）で回転させつつ光の照射を行うことにより、均一性の高いフォトクロミックコート層をワークＷの表面に形成することができる。
また、光重合装置１０において、第１の回転速度でワークＷを回転させた後に光照射装置４０による光の照射を行うまでに必要な動作は、ワーク保持回転軸部２０をベース１６に対して上方に相対移動させて、第１の領域Ｒ１から第２の領域Ｒ２にワークＷを移動させるだけである。したがって、光重合装置１０では、ワークＷを高速で回転させて余分なコーティング剤を振り落とした後に、速やかに光の照射によるコーティング剤の硬化を実施することが可能であるため、均一性の高いフォトクロミックコート層をワークＷの表面に形成することができる。また、上述した製造方法では、コーティング剤を振り落とした後もワークＷの回転を停止させることなく、回転数を落として回転を継続しながらワークＷの軸方向への移動及びワークＷへの光の照射を実施することにより、ワークＷの縁部にコーティング液の液だまりが形成されることを抑制し、均一性の高いフォトクロミックコート層を有するレンズを得られる。また、このようにして得られたレンズは、最終的にレンズとして使用できる有効領域が広いため、設計が容易である。
【００３７】
上述した実施形態は、本発明の実施の態様を例示したものであり、本発明を何ら限定するものではなく、上述した実施形態とは異なる実施形態が存在することは言うまでも無い。例えば、カバー部材３０とベース１６との隙間を封止するシール部材１８は、ベース上面１６ｂではなく、カバー部材３０の外側周縁部３６に備えられても良い。また、カバー部材３０の下方開口部３５の開口径は、ベース１６の外径と同一若しくはこれより僅かに大きくてもよく、ベース１６の外周面と下方開口部３５の内周面とが当接して、ワーク収納室Ｒが形成されても良い。
【００３８】
また、ワーク収納室Ｒの内部には、第１の領域Ｒ１と第２の領域Ｒ２とを仕切る仕切板が設けられても良い。この場合、仕切り板は、ワークＷが第２の領域Ｒ２に移動した後にワーク収納室Ｒに水平方向に挿入されるものであっても良く、ワーク保持回転軸部２０と同様に上下方向に移動するものであっても良い。第１の領域Ｒ１と第２の領域Ｒ２とを仕切る仕切板は、光重合装置１０からの光が第１の領域Ｒ１に入射することを抑制できる。そのため、ベース１６等に付着したコーティング剤は未硬化の状態に保たれるため、拭き取り等により容易に除去することが可能となる。また、この仕切り板を設けることにより、少なくとも第２の領域Ｒ２に不活性ガス（窒素）を充填すればよいため、不活性ガスの使用量を低減できると共に、生産時間を短縮できる。
【００３９】
また、製造工程において、ワークＷの表面へのコーティング剤の滴下は、ワークＷがワーク保持回転軸部２０の上方端部に載置された後に行われても良い。また、不活性ガスの充填工程で使用される不活性ガスは窒素に限定されず、アルゴン等その他の不活性ガスを使用することもできる。製造に使用されるワークＷは、フォトクロミックコート層の形成後に裏面の加工を行ういわゆるセミフィニッシュ品であっても良く、フィニッシングレンズ（フィニッシュレンズ）であっても良い。ワークＷの表面へ塗布されるコーティング剤は、フォトクロミック化合物を含む光重合性を有するコーティング液であれば特に限定されない。
【符号の説明】
【００４０】
１０…光重合装置
１６…ベース
１６ａ…軸挿通孔
Ｗ…ワーク
Ｒ…ワーク収納室
Ｒ１…第１の領域
Ｒ２…第２の領域
２０…ワーク保持回転軸部
３０…カバー部材
３５…下方開口部
４０…光照射装置
５０…不活性ガス供給手段
６０…制御部
【図１】
2015019963.tif 000003
【図２】
2015019963.tif 000004
【国際調査報告】
2015019963.tif 000005
2015019963.tif 000006
2015019963.tif 000007
2015019963.tif 000008